(57)【要約】【課題】使用者における使用時のフィット性を向上させると共に、貯尿用の袋に専用品のみならず、ビニール製の手提げ袋等の汎用品も使用可能とする、携帯用トイレを提供する。【解決手段】略二等辺三角形状の尿受面２１０と、尿受面２１０の等辺部からそれぞれ直交して立ち上がっていて使用者の左右の大腿部の内側付け根付近に接する左側面２３０及び右側面２４０と、尿受面２１０の頂点部から傾斜をもって立ち上がっている底部２５０と、尿受面２１０の頂点部付近に形成された尿の排出口２７０と、を備え、排出口２７０に貯尿袋がその開口部が左側面２３０及び右側面２４０の端部側となる態様で通されてから当該開口部を前記左側面及び右側面の端部を覆うように折り返した状態で使用可能な携帯トイレとする。【選択図】  図１
2014004287.tif 000002
【特許請求の範囲】
【請求項１】
略二等辺三角形状の尿受面と、
前記尿受面の等辺部からそれぞれ直交して立ち上がっていて使用者の左右の大腿部の内側付け根付近に接する左側面及び右側面と、
前記尿受面の頂点部から傾斜をもって立ち上がっている底部と、
前記尿受面の頂点部付近に形成された尿の排出口と、を備え、
前記排出口に貯尿袋がその開口部が前記左側面及び右側面の端部側となる態様で通されてから当該開口部を前記左側面及び右側面の端部を覆うように折り返した状態で使用可能な携帯トイレ。
【請求項２】
前記底部の内側は、尿が使用者に向けて逆流することを防ぐ傾斜部を有する、請求項１記載の排尿用の携帯トイレ。
【請求項３】
前記左側面及び右側面の各外側面は、左右の大腿部の内側付け根付近の形状に対応する曲面形状である、請求項１記載の排尿用の携帯トイレ。
【請求項４】
前記尿受面の底辺部から直交して立ち上がっていて使用者の下腹部付近に位置する端縁は、使用者の下腹部の形状に対応する曲面形状である、請求項１記載の排尿用の携帯トイレ。
【請求項５】
前記尿受面には、前記排出口に隣接させて前記貯尿袋を係止する係止部を連結するための連結部を有する、請求項１記載の排尿用の携帯トイレ。
【請求項６】
前記尿受面には、前記排出口に隣接させて携帯トイレ本体を把持するための把持部が連結される、請求項１記載の排尿用の携帯トイレ。
【発明の詳細な説明】
【技術分野】
【０００１】
本発明は、携帯用トイレに関し、特に、自動車内、避難所内などで好適に用いることができる携帯用トイレに関する。
【背景技術】
【０００２】
渋滞時における自動車内や災害時に使用する、排尿用の携帯用トイレとしては、様々なものが提案されている。特許文献１及び２には、下方へ向けて径が縮小する逆円錐型の紙コップ形状の尿受け部を有する、携帯用トイレが開示されている。特許文献３には、上方の開口部が傾斜し、下方の開口部には尿を溜める排尿バックを装着する、円筒形または楕円筒形の携帯用トイレが開示されている。
【０００３】
【特許文献１】特開２００５−１７６９９８号公報
【特許文献２】特開２００６−１１６３７３号公報
【特許文献３】実登第３１４９６６６号公報
【発明の開示】
【発明が解決しようとする課題】
【０００４】
しかし、特許文献１及び２に開示されている携帯用トイレは、尿受け部の形状について、検尿の際に使用される汎用的な紙コップ等の形状をそのまま採用したに過ぎず、陰部に当てる際のフィット性の向上といった考慮はなされていない。
【０００５】
また、特許文献３に開示されている携帯用トイレは、陰部と接する開口部についてフィット性の向上を意図した工夫は見られるが、他方、使用者の両足と接する側面部における形状の考慮は見られない。
【０００６】
加えて、特許文献３開示の携帯用トイレと排尿バックとの装着手段は、排尿バックに設けられた紐であるが、紐で縛ることのみによる装着では、蓄積される尿の重量で排尿バックが脱落することが想定される。そのほか、非常時に使用される物品であるにもかかわらず、排尿バックには紐付きの専用品しか使用できないのは不便である。
【０００７】
そこで、本発明は、使用者における使用時のフィット性を向上させると共に、貯尿用の袋に専用品のみならず、買い物袋として多用されているビニール製の手提げ袋等の汎用品も使用可能とする、携帯用トイレを提供することを課題とする。
【課題を解決するための手段】
【０００８】
上記課題を解決するために、本発明の携帯用トイレは、
略二等辺三角形状の尿受面と、
前記尿受面の等辺部からそれぞれ直交して立ち上がっていて使用者の左右の大腿部の内側付け根付近に接する左側面及び右側面と、
前記尿受面の頂点部から傾斜をもって立ち上がっている底部と、
前記尿受面の頂点部付近に形成された尿の排出口と、を備え、
前記排出口に貯尿袋がその開口部が前記左側面及び右側面の端部側となる態様で通されてから当該開口部を前記左側面及び右側面の端部を覆うように折り返した状態で使用可能としている。
【０００９】
底部の内側は、尿が使用者に向けて逆流することを防ぐ傾斜部を有するとよい。また、左側面及び右側面の各外側面は、左右の大腿部の内側付け根付近の形状に対応する曲面形状とするとよい。
【００１０】
さらに、尿受面の底辺部から直交して立ち上がっていて使用者の下腹部付近に位置する端縁を、使用者の下腹部の形状に対応する曲面形状とするとよい。
【００１１】
また、尿受面には、前記排出口に隣接させて前記貯尿袋を係止する係止部を連結するための連結部を設けたり、携帯トイレ本体を把持するための把持部を連結したりするとよい。
【発明の実施の形態】
【００１２】
以下、本発明の実施形態について図面を参照して説明する。
【００１３】
図１は、本発明に係る携帯用トイレにおけるカップ２００の模式的な構成を示す平面図である。図２は、図１のＡ−Ａ’での断面図である。図３は、図１に示すカップ２００にビニール袋などを装着するための係止部３００の模式的な構成を示す断面図である。図４は、図１に示すカップ２００に図３に示す係止部３００を通じてビニール袋５００を装着させた携帯用トイレ１００を示す斜視図である。
【００１４】
図４に示すように、携帯用トイレ１００は、尿を受けるカップ２００（図１）に着脱自在な貯尿用のビニール袋５００を装着した態様で使用するものである。
【００１５】
図１，図２に示すように、カップ２００は、略二等辺三角柱形状の尿受面２１０と、携帯用トイレ１００の使用時に使用者の下腹部付近に位置する上面２２０と、尿受面２１０の等辺部の一方から直交して立ち上がっていて携帯用トイレ１００の使用時に左大腿部の内側付け根付近に接する左側面２３０と、尿受面２１０の等辺部の他方から直交して立ち上がっていて携帯用トイレ１００の使用時に右大腿部の内側付け根付近に接する右側面２４０と、尿受面２１０の頂点部から所定の傾斜をもって立ち上がっている携帯用トイレ１００の使用時に座面に対向する底部２５０とを含む。
【００１６】
尿受面２１０との対向部分は開放されている。その端部は、携帯用トイレ１００の使用時に使用者の陰部周辺に接する端縁２６０を構成している。尿受面２１０には、その頂点部付近に形成され、貯尿袋であるところのビニール袋５００が通される排出口２７０と、排出口２７０に隣接する、ビニール袋５００の手提げ部分が係止される係止部３００をカップ２００に取り付けるための連結部２９０とが形成されている。
【００１７】
カップ２００は、全体形状が、底部２５０の出っ張り部分を除けば、略二等辺三角柱状である。携帯用トイレ１００の使用時に、カップ２００の端縁２６０が携帯用トイレ１００の使用者の陰部周辺を覆う態様で接することを実現するためである。
【００１８】
使用者に接する部分となる端縁２６０は、使用者にフィットするような曲面形状とされていて、尿がカップ２００外に漏れることを防止している。また、端縁２６０は、使用者に接する部分であることから、面取りされている。
【００１９】
また、左側面２３０及び右側面２４０の各外側面は、使用者の両足大腿部の内側付け根付近に接することから、両足大腿部の内側付け根付近に対応する僅かな曲面形状としている。なお、左側面２３０及び右側面２４０は、尿受面２１０の等辺部から直交して立ち上がっていると説明したが、本明細書においは、厳密な意味での９０°のみならず、９０°±５°くらいまでのものも含むものとする。
【００２０】
底部２５０の外面は、図２に示すように、尿受面２１０に対して７０°〜８０°程度、傾斜させている。また、底部２５０の内面は、携帯用トイレ１００の使用時、すなわち、底部２５０の外面を水平にした時に、尿受面２１０に向けて下る５°から２０°の角度、好ましくは５°〜１０°の角度の傾斜部２８０となる。傾斜部２８０を設けることにより、カップ２００内では傾斜部２８０を通じて排出口２７０に向けて尿が流れることになるので、使用者側へ尿が逆流することが防止できる。
【００２１】
排出口２７０は、尿受面２１０と底部２５０との境界付近に形成される。もっとも、尿受面２１０と底部２５０との境界を含む態様で排出口２７０を形成してもよい。排出口２７０を、このような位置に形成すると、カップ２００の容器内からビニール袋５００に向けて、スムーズに尿を排出させることができる。
【００２２】
なお、カップ２００をＡＢＳ（Acrylonitrile Butadiene Styrene）などの合成樹脂製とした場合、傾斜部２８０は、底部２５０の上端を最も厚肉とし、排出口２７０へ向かって漸次薄肉となるような金型等を製造することで、形成すればよい。
【００２３】
また、連結部２９０は、尿受面２１０に開けられた孔の内側にネジ山を切ることで形成している。連結部２９０には、係止部３００が螺合によって連結可能であり、係止部３００の着脱が自在とされている。但し、係止部３００の螺合による連結方法は一例であって、連結方法はこれに限られない。
【００２４】
なお、本実施形態では、連結部２９０は、係止部３００との強固な連結を実現するために、カップ２００内側に、ナットのように機能させる、ネジ山が切られたリング状の突起を設けている。
【００２５】
図３を参照して、係止部３００は、下端部が連結部２９０と螺合される支柱３１０と、支柱３１０の上端部に位置する第１鍔部３２０と、支柱３１０の中間部に位置する第２鍔部３３０と、第２鍔部３３０の下側に位置するリング３４０とを備える。
【００２６】
支柱３１０は、中空の円柱形状であり、一方の端部が第１鍔部３２０と固着され、他方の端部には外側側面にネジ山が切られている。このため、係止部３００は、カップ２００の連結部２９０に対して螺合によって連結されられる。
【００２７】
なお、係止部３００をカップ２００と着脱自在としたのは、仮に係止部３００がカップ２００に固定的に連結されていると、係止部３００が、携帯用トイレ１００に対する突起となって、携帯用トイレ１００のサイズアップとなり持ち運びに不便だからである。係止部３００は、携帯用トイレ１００の未使用時には、カップ２００内側から連結部２９０に螺合させてもよい。
【００２８】
支柱３１０の中間部分には、第２鍔部３３０が位置し、第２鍔部３３０の底面にはリング３４０の上面が接続されている。リング３４０の下面は、携帯用トイレ１００の使用時に係止部３００がカップ２００に螺合により連結される際、尿受面２１０外側に密着することになる。リング３４０は、ビニール袋５００の手提げ部分が係止される。なお、リング３４０に代えて、たとえば、一対のピンを備えるようにしてもよい。
【００２９】
また、支柱３１０に対して、第１鍔部３２０と第２鍔部３３０とを設けると、たとえば、使用者の人差し指と中指との付け根で、第１鍔部３２０と第２鍔部３３０との間の支柱２１０を掴むようにすれば、支柱３１０を通じて携帯用トイレ１００を把持することができる。
【００３０】
なお、本実施形態では、カップ２００、係止部３００とも合成樹脂により形成されているが、使い捨てや折り畳みの利便等を考慮し、これを可能とするため合成樹脂に代えて、表面にポリエチレンなどの防水層を備える厚紙により形成することも可能であり、材質は合成樹脂製に限定されるものではない。上記厚紙を用いると、未使用時にたとえば図１のＡ−Ａ’部分などで折り畳んでおけるので、携帯性、収納性が向上する。
【００３１】
また、本実施形態では、カップ２００は、一体成型、係止部３００は各部を接着させて形成しているが、カップ２００を各部の接着、係止部３００を一体成型により形成してもよい。
【００３２】
さらに、本発明の実施形態における携帯用トイレ１００の好適な寸法例について説明する。なお、以下説明する寸法は、あくまで一例であって、これらに限定されるものではない点に留意されたい。
【００３３】
まず、カップ２００の全長、すなわち、上面２２０から底部２５０まで長さは約１１０ｍｍ〜約１４０ｍｍ（たとえば約１３０ｍｍ）である。上面２２０の幅は、約８０ｍｍ〜約１００ｍｍ（たとえば約９０ｍｍ）としている。カップ２００の高さは上面２２０側を約３５ｍｍ〜約４５ｍｍ（たとえば約４０ｍｍ）とし、底部２５０側を垂直に測って約７５ｍｍ〜約９０ｍｍ（たとえば約８０ｍｍ）としている。
【００３４】
図１に示す上面２２０自体の曲面は、約１２０ｍｍＲ〜約１７０ｍｍＲ（たとえば約１５０ｍｍＲ）としている。図１に示す左側面２３０自体及び右側面２４０自体の曲面は、約３５０ｍｍＲ〜約５００ｍｍＲ（たとえば約４００ｍｍＲ）の曲面形状としている。図２に示す左側面２３０及び右側面２４０部分の端縁２６０は１２０ｍｍＲ〜１７０ｍｍＲ（たとえば約１５０ｍｍＲ）としている。
【００３５】
また、係止部３００は、支柱３１０の長さが約３０ｍｍ〜約５０ｍｍ（たとえば約４０ｍｍ）、支柱３１０外側側面に形成されるネジ山の部分の長さが約５ｍｍ〜約８ｍｍ（たとえば約６ｍｍ）、第１鍔部３２０の径が約１５ｍｍ〜約３０ｍｍ（たとえば約２０ｍｍ）、第２鍔部３３０の径が約３０ｍｍ〜約４０ｍｍ（たとえば約３８ｍｍ）、リング３４０の径が約１０ｍｍ〜約４０ｍｍ（たとえば約２０ｍｍ）、リング３４０の高さが約５ｍｍ〜約１０ｍｍ（たとえば約６ｍｍ）である。
【００３６】
次に、以下、本実施形態の携帯用トイレの使用方法を説明する。
【００３７】
まず、携帯用トイレ１００は、カップ２００の尿受面２１０に形成された連結部２９０に、係止部３００のネジ山が切られた支柱３１０先端部分を螺合し、これらを連結する。つぎに、例えば買い物袋として多用されている汎用品のビニール製手提げ袋等のビニール袋５００を用意し、ビニール袋５００の手提げ部分をカップ２００の尿受面２１０外側から、排出口２７０に挿し込んでカップ２００内へと通す。
【００３８】
そして、カップ２００内に入ったビニール袋５００の開口部を広げて、上面２２０、左側面２３０、右側面２４０及び底部２５０の外側面を覆い、手提げ部分をリング部３４０に係止する。ビニール袋５００が大きい場合には、残余の手提げ部分は、第１鍔部３２０と第２鍔部３３０との間の支柱３１０に巻きつけるなどすればよい。
【００３９】
換言すると、携帯トイレ１００の使用時には、ビニール袋５００は、その開口部が左側面２３０及び右側面２４０の端部側となる態様で、排出口２７０に通されてから、当該開口部を左側面２３０及び右側面２４０の端縁を覆うように折り返した状態とされる。
【００４０】
本実施形態の携帯用トイレ１００の使用は、先にも述べたとおり、カップ２００の端縁２６０を使用者の陰部周辺に当て、さらに左足大腿部の内側付け根部分に左側面２３０を、右足大腿部の内側付け根部分に右側面２４０を押し当てて、カップ２００を両大腿部で挟むようにして使用する。
【００４１】
携帯用トイレ１００の使用後には、前記と逆の手順で、ビニール袋５００を尿がこぼれないように携帯用トイレ１００から取り外して、ビニール袋５００ごと処分すればよい。なお、携帯用トイレ１００の使用に先立って、ビニール袋５００の中に凝固剤などを入れておくことも一法である。
【００４２】
また、ビニール袋５００として買い物袋を用いるのではなく、開口部周辺にジッパーが付いたビニール袋５００を用いて、携帯用トイレ１００の使用後から尿を処分するまでの間、ビニール袋５００から尿がこぼれないようにすることも一法である。
【００４３】
なお、カップ２００及び係止部３００を厚紙等により形成した場合には、使い捨て可能とするべく、ビニール袋５００のみならず、携帯用トイレ１００自体を処分することもできる。
【図面の簡単な説明】
【００４４】
【図１】本発明に係る携帯用トイレにおけるカップ部分の模式的な構成を示す平面図である。
【図２】本発明に係る携帯用トイレにおけるカップ部分の模式的な構成を示す左側面から見た断面図である。
【図３】本発明に係る携帯用トイレにおける係止部の模式的な構成を示す断面図である。
【図４】図１に示すカップ２００に図３に示す係止部３００を通じてビニール袋５００を装着させた携帯用トイレ１００を示す斜視図である。
【符号の説明】
【００４５】
１００  携帯用トイレ
２００  カップ
２１０  尿受面
２２０  上面
２３０  左側面
２４０  右側面
２５０  底部
２６０  端縁
２７０  排出口
２８０  傾斜部
２９０  連結部
３００  係止部
３１０  支柱
３２０  第１鍔部
３３０  第２鍔部
３４０  リング
５００  ビニール袋
【図１】
2014004287.tif 000003
【図２】
2014004287.tif 000004
【図３】
2014004287.tif 000005
【図４】
2014004287.tif 000006